【手続補正書】
【提出日】平成19年7月6日(2007.7.6)
【手続補正１】
【補正対象書類名】明細書
【補正対象項目名】特許請求の範囲
【補正方法】変更
【補正の内容】
【特許請求の範囲】
【請求項１】
シクロペンタジエニル環における置換基の少なくとも１個が、ｓｐ3混成された炭素原子またはケイ素原子を介してのみ結合したものではない剛直した供与体官能基を有し、元素の周期律表第１５族または第１６族の元素を含有する中性の官能基である、クロム、モリブデンまたはタングステンの置換モノシクロペンタジエニル−、モノインデニル−、モノフルオレニル−またはヘテロシクロペンタジエニル錯体。
【請求項２】
一般式Ｉ：
【化１】
2003507387.tif 000001
［式中、Ｍはクロム、モリブデンまたはタングステンの意味を有し、
Ｙは次の一般式ＩＩ：
【化２】
2003507387.tif 000002
（式中、Ｅ1〜Ｅ5は炭素または最大１個のＥ1〜Ｅ5がリンまたは窒素の意味を有し、ＺはＮＲ5Ｒ6、ＰＲ5Ｒ6、ＯＲ5、ＳＲ5または１つの非置換、置換または縮合の、部分不飽和の複素環基またはヘテロ芳香族の環基の意味を有し、Ｂは次の基：
【化３】
2003507387.tif 000003
の１種であり、さらにＺが１つの非置換、置換または縮合の、部分不飽和の複素環基またはヘテロ芳香族の環基である場合は
【化４】
2003507387.tif 000004
であってもよく（式中、Ｌ1、Ｌ2はケイ素または炭素を意味する）、ｋは１であり、Ｚが１つの非置換、置換または縮合の、部分不飽和の複素環基またはヘテロ芳香族の環基であるときは、ｋは０でもよい）で示され、
Ｘは互いに独立してフッ素、塩素、臭素、ヨウ素、水素、Ｃ1−Ｃ10−アルキル、Ｃ2−Ｃ10−アルケニル、Ｃ6−Ｃ20−アリール、アルキル基中に炭素原子１〜１０個およびアリール基中に炭素原子６〜２０個を有するアルキルアリール、ＮＲ15Ｒ16、ＯＲ15、ＳＲ15、ＳＯ3Ｒ15、ＯＣ（Ｏ）Ｒ15、ＣＮ、ＳＣＮ、β−ジケトナート、ＣＯ、ＢＦ4−、ＰＦ6−または嵩高の非配位子アニオン類の意味を有し、
Ｒ1〜Ｒ16は互いに独立して水素、Ｃ1−Ｃ20−アルキル、Ｃ2−Ｃ20−アルケニル、Ｃ6−Ｃ20−アリール、アルキル基中に炭素原子１〜１０個およびアリール基中に炭素原子６〜２０個を有するアルキルアリール、ＳｉＲ173の意味を有し、有機基Ｒ1〜Ｒ16はハロゲンによって置換してもよく、各々２つのゲミナルまたはビシナル基Ｒ1〜Ｒ16は１つの５員環または６員環に結合してよく、
Ｒ17は互いに独立して水素、Ｃ1−Ｃ20−アルキル、Ｃ2−Ｃ20−アルケニル、Ｃ6−Ｃ20−アリール、アルキル基中に炭素原子１〜１０個およびアリール基中に炭素原子６〜２０個を有するアルキルアリールの意味を有し、各々２つのゲミナル基Ｒ17が１つの５員環または６員環に結合してもよく、
ｎは１、２または３であり、
ｍは１、２または３である］の請求項１記載の置換モノシクロペンタジエニル−、モノインデニル−、モノフルオレニル−またはヘテロシクロペンタジエニル錯体。
【請求項３】
請求項１ないし２記載のクロムの置換モノシクロペンタジエニル−、モノインデニル−、モノフルオレニル−またはヘテロシクロペンタジエニル錯体。
【請求項４】
Ｚが非置換、置換または縮合の、ヘテロ芳香族の環系である、請求項２記載の置換モノシクロペンタジエニル−、モノインデニル−、モノフルオレニル−またはヘテロシクロペンタジエニル錯体。
【請求項５】
Ｅ1Ｅ2Ｅ3Ｅ4Ｅ5がＲ1Ｒ2Ｒ3Ｒ4と一緒になって非置換または置換インデニルを形成している、請求項２記載の置換モノシクロペンタジエニル−、モノインデニル−、モノフルオレニル−またはヘテロシクロペンタジエニル錯体。
【請求項６】
Ｅ1Ｅ2Ｅ3Ｅ4Ｅ5がＲ1Ｒ2と一緒になってインデニルを形成している、請求項５記載の置換モノシクロペンタジエニル−、モノインデニル−、モノフルオレニル−またはヘテロシクロペンタジエニル錯体。
【請求項７】
Ｚが非置換または置換８−（キノリル）を有する基であり、ｋが０に等しい、請求項６記載の置換モノシクロペンタジエニル−、モノインデニル−、モノフルオレニル−またはヘテロシクロペンタジエニル錯体。
【請求項８】
オレフィンの重合または共重合のための方法であって、オレフィンが次の成分：
（Ａ）一般式Ｉ：
【化５】
2003507387.tif 000005
［式中、Ｍはクロム、モリブデンまたはタングステンの意味を有し、
Ｙは次の一般式ＩＩ：
【化６】
2003507387.tif 000006
（式中、Ｅ1〜Ｅ5は炭素または最大１個のＥ1〜Ｅ5リンまたは窒素の意味を有し、
ＺはＮＲ5Ｒ6、ＰＲ5Ｒ6、ＯＲ5、ＳＲ5または非置換、置換または縮合の、部分不飽和の複素環基またはヘテロ芳香族の環基の意味を有し、
Ｂは次の基：
【化７】
2003507387.tif 000007
の１種である）、さらにＺが非置換、置換または縮合の、部分不飽和の複素環基またはヘテロ芳香族の環基の場合は、
【化８】
2003507387.tif 000008
としてもよく（式中、Ｌ1、Ｌ2はケイ素または炭素を意味する）、ｋは１であり、Ｚが１つの非置換、置換または縮合の、部分不飽和の複素環基またはヘテロ芳香族の環基であるときは、ｋは０でもよい）で示され、
Ｘは互いに独立してフッ素、塩素、臭素、ヨウ素、水素、Ｃ1−Ｃ10−アルキル、Ｃ2−Ｃ10−アルケニル、Ｃ6−Ｃ20−アリール、アルキル基中に炭素原子１〜１０個およびアリール基中に炭素原子６〜２０個を有するアルキルアリール、ＮＲ15Ｒ16、ＯＲ15、ＳＲ15、ＳＯ3Ｒ15、ＯＣ（Ｏ）Ｒ15、ＣＮ、ＳＣＮ、β−ジケトナート、ＣＯ、ＢＦ4−、ＰＦ6−または嵩高の非配位子アニオン類の意味を有し、
Ｒ1〜Ｒ16は互いに独立して水素、Ｃ1−Ｃ20−アルキル、Ｃ2−Ｃ20−アルケニル、Ｃ6−Ｃ20−アリール、アルキル基中に炭素原子１〜１０個およびアリール基中に炭素原子６〜２０個を有するアルキルアリール、ＳｉＲ173の意味を有し、有機基Ｒ1〜Ｒ16はハロゲンによって置換してもよく、各々２つのゲミナルまたはビシナルの残基Ｒ1〜Ｒ16は１つの５員環または６員環に結合してよ、Ｒ17は互いに独立して水素、Ｃ1−Ｃ20−アルキル、Ｃ2−Ｃ20−アルケニル、Ｃ6−Ｃ20−アリール、アルキル基中に炭素原子１〜１０個およびアリール基中に炭素原子６〜２０個を有するアルキルアリール、および各々２つのゲミナル基Ｒ17は１つの５員環または６員環に結合してもよく、
ｎは１、２または３であり、
ｍは１、２または３である）の請求項１記載の置換モノシクロペンタジエニル−、モノインデニル−、モノフルオレニル−またはヘテロシクロペンタジエニル錯体類と、
（Ｂ）場合により１種または複数種の活性剤化合物と、
（Ｃ）場合により１種または複数種の追加のオレフィン重合に通常用いる触媒と、
の存在下に重合される方法。
【請求項９】
活性剤化合物（Ｂ）としてアルミノキサン、ジメチルアニリニウムテトラキスペンタフルオロフェニルボレート、トリチルテトラキスペンタフルオロフェニルボレートまたはトリスペンタフルオロフェニルボランの類群から選ばれた化合物の１種が使用される、請求項８記載の方法。
【請求項１０】
エテン、プロペン、１−ブテン、１−ペンテン、１−ヘキセン、１−ヘプテン、１−オクテンまたは１−デセンの群から選ばれた少なくとも１種のオレフィンが重合される、請求項８記載の方法。
【請求項１１】
プロペン、１−ブテン、１−ペンテン、１−ヘキセン、１−ヘプテンまたは１−オクテンの群から選ばれた１種のオレフィンが重合される、請求項８記載の方法。
【請求項１２】
重合が、懸濁液中、溶液中または気相中で行われる、請求項８記載の方法。
【手続補正２】
【補正対象書類名】明細書
【補正対象項目名】０００１
【補正方法】変更
【補正の内容】
【０００１】
本発明の目的は、シクロペンタジエニル環における置換基の少なくとも１個が、ｓｐ3混成された炭素原子またはケイ素原子を介してのみ結合したものではない剛直した供与体官能基を有する、クロム、モリブデンまたはタングステンの置換モノシクロペンタジエニル−、モノインデニル−、モノフルオレニル−またはヘテロシクロペンタジエニル錯体、ならびにオレフィン類の重合方法を提供することにある。